(57)【要約】      （修正有）【課題】頭皮の洗浄効果や頭皮の剤浸透効果を高めることができる頭皮ケア装置を提供する。【解決手段】頭皮ケア装置１は、突起１４をモータ１３の駆動力にて駆動させ、突起１４を頭皮に接触させて頭皮をケアするための頭皮ケア装置１であって、突起１４から電気刺激を頭皮に付与するための電気刺激発生手段１６を備える。この頭皮ケア装置１においては、突起１４が正の電極及び負の電極の内のいずれか一方とされ、本体ハウジング１１の把持部１１ａに正の電極及び負の電極の内のいずれか他方とされた把持電極部３３を設ける。【選択図】図１
2012045089.tif 000002
【特許請求の範囲】
【請求項１】
突起を駆動源の駆動力にて駆動させ、前記突起を頭皮に接触させて頭皮をケアするための頭皮ケア装置であって、
前記突起から電気刺激を頭皮に付与するための電気刺激発生手段を備えたことを特徴とする頭皮ケア装置。
【請求項２】
請求項１に記載の頭皮ケア装置において、
前記突起が正の電極及び負の電極の内のいずれか一方とされ、
本体ハウジングの把持部に正の電極及び負の電極の内のいずれか他方とされた把持電極部が設けられたことを特徴とする頭皮ケア装置。
【請求項３】
請求項１に記載の頭皮ケア装置において、
前記突起は、複数設けられるものであって、
少なくとも１つの前記突起が正の電極とされるとともに、他の少なくとも１つの前記突起が負の電極とされたことを特徴とする頭皮ケア装置。
【請求項４】
請求項３に記載の頭皮ケア装置において、
前記突起を複数有する施術子が、異なる動作をするように２つ以上設けられ、
少なくとも１つの前記施術子における複数の前記突起が正の電極とされるとともに、他の少なくとも１つの前記施術子における複数の前記突起が負の電極とされたことを特徴とする頭皮ケア装置。
【請求項５】
請求項１に記載の頭皮ケア装置において、
前記突起が正の電極及び負の電極の内のいずれか一方とされ、
前記突起が頭皮に接触された状態で前記突起の周囲において頭皮に接触されるように伸縮可能な筒状ガイド部が設けられ、該筒状ガイド部が正の電極及び負の電極の内のいずれか他方とされたことを特徴とする頭皮ケア装置。
【請求項６】
請求項１に記載の頭皮ケア装置において、
前記突起を有する施術子が、定期的に近づく動作と離れる動作を繰り返すように２つ以上設けられ、
前記施術子同士の距離が最も狭くなったタイミングから最も広くなるタイミングまでの間で電気刺激を付与するように前記電気刺激発生手段を制御する制御部を備えたことを特徴とする頭皮ケア装置。
【発明の詳細な説明】
【技術分野】
【０００１】
本発明は、例えば、頭皮の活性化や育毛を図るための頭皮ケア装置に関するものである。
【背景技術】
【０００２】
頭皮ケア装置としては、突起を駆動源の駆動力にて回転駆動させ、その突起を頭皮に接触させて頭皮をケアするものがある（例えば、特許文献１参照）。この頭皮ケア装置は、突起を頭皮に押し付けて該突起を回転駆動させることで、頭皮の洗浄効果や頭皮に剤（例えば育毛剤）を浸透させる効果（以下、剤浸透効果という）等を得ることができる。
【先行技術文献】
【特許文献】
【０００３】
【特許文献１】特開平７−２１３３２８号公報
【発明の概要】
【発明が解決しようとする課題】
【０００４】
しかしながら、上記のような頭皮ケア装置では、単に物理的な刺激を頭皮に与えるだけであるため、洗浄効果や剤浸透効果の更なる向上が望まれている。
本発明は、上記課題を解決するためになされたものであって、その目的は、洗浄効果や剤浸透効果を高めることができる頭皮ケア装置を提供することにある。
【課題を解決するための手段】
【０００５】
本発明の頭皮ケア装置は、突起を駆動源の駆動力にて駆動させ、前記突起を頭皮に接触させて頭皮をケアするための頭皮ケア装置であって、前記突起から電気刺激を頭皮に付与するための電気刺激発生手段を備えたことを特徴とする。
【０００６】
この頭皮ケア装置においては、前記突起が正の電極及び負の電極の内のいずれか一方とされ、本体ハウジングの把持部に正の電極及び負の電極の内のいずれか他方とされた把持電極部が設けられることが好ましい。
【０００７】
この頭皮ケア装置においては、前記突起は、複数設けられるものであって、少なくとも１つの前記突起が正の電極とされるとともに、他の少なくとも１つの前記突起が負の電極とされることが好ましい。
【０００８】
この頭皮ケア装置においては、前記突起を複数有する施術子が、異なる動作をするように２つ以上設けられ、少なくとも１つの前記施術子における複数の前記突起が正の電極とされるとともに、他の少なくとも１つの前記施術子における複数の前記突起が負の電極とされることが好ましい。
【０００９】
この頭皮ケア装置においては、前記突起が正の電極及び負の電極の内のいずれか一方とされ、前記突起が頭皮に接触された状態で前記突起の周囲において頭皮に接触されるように伸縮可能な筒状ガイド部が設けられ、該筒状ガイド部が正の電極及び負の電極の内のいずれか他方とされることが好ましい。
【００１０】
この頭皮ケア装置においては、前記突起を有する施術子が、定期的に近づく動作と離れる動作を繰り返すように２つ以上設けられ、前記施術子同士の距離が最も狭くなったタイミングから最も広くなるタイミングまでの間で電気刺激を付与するように前記電気刺激発生手段を制御する制御部を備えることが好ましい。
【発明の効果】
【００１１】
本発明によれば、洗浄効果や剤浸透効果を高めることができる頭皮ケア装置を提供することができる。
【図面の簡単な説明】
【００１２】
【図１】本実施形態における頭皮ケア装置の断面図。
【図２】本実施の形態における頭皮ケア装置の平面図。
【図３】別例における頭皮ケア装置の断面図。
【図４】別例における施術子の模式平面図。
【図５】別例における施術子の模式平面図。
【図６】別例における頭皮ケア装置の断面図。
【図７】別例における頭皮ケア装置の模式平面図。
【図８】別例における頭皮ケア装置の模式平面図。
【図９】別例における頭皮ケア装置の断面図。
【図１０】別例における頭皮ケア装置の断面図。
【図１１】別例における頭皮ケア装置の模式平面図。
【図１２】別例における頭皮ケア装置の動作を説明するためのタイミングチャート。
【発明を実施するための形態】
【００１３】
以下、本発明を具体化した一実施の形態を図１及び図２に従って説明する。
図１に示すように、本実施の形態の頭皮ケア装置１は、外観が略直方体状の本体ハウジング１１と、該本体ハウジング１１内に収容保持され、出力軸１２を回転駆動するための駆動源としてのモータ１３とを備える。又、頭皮ケア装置１は、本体ハウジング１１から突出した出力軸１２の先端に連結され、出力軸１２の回転に基づいて駆動される突起１４を有した施術子１５を備える。又、本実施の形態の頭皮ケア装置１は、突起１４から電気刺激を頭皮に付与するための電気刺激発生手段（回路）１６を備える。
【００１４】
本体ハウジング１１の側部には、使用者が頭皮ケア装置１をオンオフ操作するためのスイッチ１７が設けられている。
出力軸１２は、本体ハウジング１１の上部から先端側が外部に突出するように同本体ハウジング１１に軸受１８を介して回転可能に支持されている。又、出力軸１２において本体ハウジング１１内の基端側には、出力軸ギヤ１２ａが設けられている。
【００１５】
モータ１３は、回転軸１３ａを回転駆動可能なものであって、該回転軸１３ａの先端部には回転軸ギヤ１３ｂが設けられている。そして、モータ１３は、回転軸ギヤ１３ｂが前記出力軸ギヤ１２ａに噛合されるように本体ハウジング１１内に収容保持されることで、出力軸１２を回転駆動可能とされている。このモータ１３は本体ハウジング１１内に収容保持された制御部１９と電気的に接続され、該制御部１９は本体ハウジング１１内に収容保持された電源部（バッテリー）２０に電気的に接続され、該電源部２０は前記スイッチ１７に電気的に接続されている。
【００１６】
施術子１５は、出力軸１２の中心である第１の軸Ｘ１からずれた第２の軸Ｘ２中心で出力軸１２に対して回転可能に設けられる回転部材２１と、前記第２の軸Ｘ２の周囲に配置されるように回転部材２１に設けられた複数の突起１４とを有する。尚、本実施の形態では、突起１４は、前記施術子１５に４つ（図１では、２つのみ図示する）設けられている。
【００１７】
詳しくは、出力軸１２の先端と施術子１５とは、回転板２２、回転支持部材２３及び軸受２４を介して連結されている。回転板２２は、円盤状に形成され、その中心孔２２ａに出力軸１２の先端が嵌入されて固定されている。回転支持部材２３は、略円柱状に形成されるとともに下端にフランジ部２３ａが形成され、その軸中心が出力軸１２の中心である第１の軸Ｘ１からずれた第２の軸Ｘ２中心となるように前記回転板２２上に固定されている。この回転支持部材２３には、下面における前記出力軸１２と対応した位置である前記第１の軸Ｘ１の位置から自身（回転支持部材２３）の軸中心である前記第２の軸Ｘ２の位置の上面に抜ける連通孔２３ｂが形成されている。一方、施術子１５の回転部材２１は、略円盤状の円盤部２１ａと、円盤部２１ａの下面から筒状に延びる筒部２１ｂとを有する。そして、施術子１５は、その回転部材２１における筒部２１ｂの内周面が軸受２４を介して前記回転支持部材２３の外周面に回転可能に支持されている。又、前記回転部材２１には、自身（回転部材２１）の軸中心であって前記第２の軸Ｘ２の位置で上下に貫通する連通孔２１ｃが形成されている。又、突起１４は、導電性ゴム（例えば、ＮＢＲ（ニトリルゴム）やブタジエンとアクリロニトリルの共重合体）よりなり、４つの突起１４が１つの基部１４ａ上に立設されて一体成形されている。又、前記基部１４ａ内には、導電性金属板である基底板１４ｂが埋設されている。尚、本実施の形態の突起１４は、略円錐形状に形成され、それぞれ前記第２の軸Ｘ２を中心として均等な距離に等角度（９０°）間隔に配置されている。
【００１８】
そして、本体ハウジング１１内に収容保持される電気刺激発生手段１６には導線３１の基端部が繋げられ、その導線３１は出力軸１２内（その軸中心の孔）、及び連通孔２３ｂ，２１ｃを介してその先端部が基底板１４ｂに繋げられて電気的に接続されている。又、電気刺激発生手段１６には、導線３２の基端部が繋げられ、導線３２の先端部が本体ハウジング１１の把持部１１ａに設けられた把持電極部３３に繋げられて電気的に接続されている。これにより、本実施の形態では、突起１４が正の電極とされ、把持電極部３３が負の電極とされている。
【００１９】
又、本体ハウジング１１には、該本体ハウジング１１から突出した出力軸１２の周囲を覆うカバー４１が設けられている。詳しくは、カバー４１は、樹脂材よりなり、本体ハウジング１１（詳しくはその外側面全体）に固定される固定部４１ａと、固定部４１ａから前記出力軸１２の露出した周囲（径方向外側）を覆うように略筒状に延びるカバー本体部４１ｂとを有する。このカバー本体部４１ｂの上端には、回転部材２１の移動軌跡範囲より僅かに大きな開口４１ｃを有するように、言い換えると第１の軸Ｘ１を中心とした円形の開口４１ｃを有するように、第１の軸Ｘ１の直交方向に延びる蓋部４１ｄが形成されている。又、本実施の形態のカバー４１は、施術子１５の前記第１の軸Ｘ１中心の回転（周回）を許容し、且つ前記施術子１５の前記第１の軸Ｘ１中心の回転に追従しながら外部と出力軸１２側とを区画する変形可能な蛇腹部材４２を有する。この蛇腹部材４２は、弾性体（絶縁性ゴム等）よりなるとともに蛇腹形状に形成され、その一端開口部（外縁）が前記開口４１ｃに固定されている。又、蛇腹部材４２は、各突起１４が蛇腹部材４２に形成された孔４２ａ（図２参照）を貫通してそれぞれが該蛇腹部材４２と係合することで、第１の軸Ｘ１方向から見て第２の軸Ｘ２に対する突起１４の位置関係が変化しない状態を保つようにしている。即ち、この例では、弾性体よりなる蛇腹部材４２が、施術子１５の第１の軸Ｘ１中心の移動（回転）を許容するものの、自身を捩れさせるような施術子１５の回転に対して抵抗となることで、第２の軸Ｘ２に対する突起１４の位置関係が変化しないようにしている。これにより、前記基底板１４ｂに繋げられた導線３１が捩れて断線してしまうことが防止されている。
【００２０】
このように構成された頭皮ケア装置１では、スイッチ１７が使用者によってオン操作されると、電源部２０から制御部１９に電源が供給されるとともに制御部１９によってモータ１３に回転軸１３ａを回転駆動させるための駆動電流が供給される。
【００２１】
そして、モータ１３の回転軸１３ａが回転駆動されると、出力軸１２及び回転板２２が前記第１の軸Ｘ１を中心として一体回転する。又、このとき、回転支持部材２３及び施術子１５（その軸中心）が前記第１の軸Ｘ１を周回するように前記第１の軸Ｘ１を中心として回転する。このとき、各突起１４は蛇腹部材４２に形成された孔４２ａを貫通してそれぞれが蛇腹部材４２と係合することで、第１の軸Ｘ１方向から見て第２の軸Ｘ２に対する突起１４の位置関係が保たれたまま施術子１５が第１の軸Ｘ１中心に回転（周回）することになる。そして、施術子１５の先端（突起１４）を頭皮に接触させると、突起１４の先端の動きに合わせて使用者の頭皮が動かされることになり、頭皮がケア（洗浄やマッサージ）されることになる。
【００２２】
又、このとき、制御部１９によって、電気刺激発生手段１６に電源が供給され、前記突起１４（正の電極）から電気刺激が頭皮に付与される。
次に、上記実施の形態の特徴的な作用効果を以下に記載する。
【００２３】
（１）突起１４から電気刺激を頭皮に付与するための電気刺激発生手段１６を備えるため、例えば、本実施の形態のように突起１４を正の電極とした場合では、毛穴に詰まった汚れ（皮脂や老廃物）を吸着することができ、洗浄効果を高めることができる。
【００２４】
（２）突起１４が正の電極とされ、本体ハウジング１１の把持部１１ａに負の電極とされた把持電極部３３が設けられるため、洗浄効果を高くすることができる。即ち、正の電極（突起１４）しか人体に接触されないものでは、人体が正のみに帯電して電流が流れ難くなるが、これを回避して、前記洗浄効果を高くすることができる。又、把持部１１ａを把持した自然な使用方法で、頭皮と手を通じて人体中を電流が流れ易くなり、前記洗浄効果を高くすることができる。
【００２５】
上記実施の形態は、以下のように変更してもよい。
・上記実施の形態では、突起１４を正の電極とし、把持電極部３３を負の電極としたが、これに限定されず、突起１４を負の電極とし、把持電極部３３を正の電極としてもよい。このように、突起１４を負の電極とした場合には、剤（例えば育毛剤）を浸透させる効果（剤浸透効果）を高めることができる。又、把持電極部３３を有さずに、正の電極と負の電極の内のどちらか（突起１４）しか人体に接触されないものに変更してもよい。
【００２６】
・上記実施の形態では、突起１４を正の電極とし、把持電極部３３を負の電極としたが、これに限定されず、複数設けられる突起の内の少なくとも１つの突起が正の電極とされるとともに、他の少なくとも１つの突起が負の電極とされたものに変更してもよい。
【００２７】
例えば、図３及び図４に示すように変更してもよい。この例における突起５１ａ，５１ｂは、図３に示すように、それぞれが導電性ゴムよりなり、その基端部が絶縁性の基部５１ｃにて連結されている。そして、各突起５１ａ，５１ｂの基端部内には、導電性金属板である基底板５１ｄがそれぞれ埋設されている。
【００２８】
又、回転部材２１は、上記実施の形態の連通孔２１ｃが、分岐連通孔２１ｄに変更されている。分岐連通孔２１ｄは、下面における自身（回転部材２１）の軸中心であって前記第２の軸Ｘ２の位置から各突起５１ａ，５１ｂが固定される位置の上面に分岐しながら抜けるように形成されている。そして、電気刺激発生手段１６には導線３１，３２の基端部が繋げられ、その導線３１，３２は出力軸１２内（その軸中心の孔）、連通孔２３ｂ及び分岐連通孔２１ｄを介してその先端部が各基底板５１ｄにそれぞれ繋げられて電気的に接続されている。これにより導線３１に接続された突起５１ａが正の電極とされ、導線３２に接続された突起５１ｂが負の電極とされている。尚、本実施の形態では、突起５１ａ，５１ｂが、図４に示すように、４つ設けられ、２つの突起５１ａが正の電極とされ、他の２つの突起５１ｂが負の電極とされている。又、この例（図３及び図４参照）では、上記実施の形態の把持電極部３３が削除されている。
【００２９】
このようにすると、少なくとも１つの突起（５１ａ）が正の電極とされるとともに、他の少なくとも１つの突起（５１ｂ）が負の電極とされるため、前記洗浄効果及び前記剤浸透効果を高くすることができる。即ち、正の電極と負の電極の内のどちらかしか人体に接触されないものでは、人体が正か負のどちらかのみに帯電して電流が流れ難くなるが、これを回避して、前記洗浄効果及び前記剤浸透効果を高くすることができる。又、把持部１１ａの持ち方に関わらず、複数の突起５１ａ，５１ｂを頭皮に接触させるだけで、人体中を電流が流れ易くなり、前記洗浄効果及び前記剤浸透効果を高くすることができる。
【００３０】
又、例えば、図５に示すように、３つの突起５１ａ，５１ｂとされたものでは、２つの突起５１ａを正の電極とし、他の１つの突起５１ｂを負の電極としてもよい。このように、正の電極とされた突起５１ａを負の電極とされた突起５１ｂより多くすると、逆の場合（負の電極とされた突起５１ｂを多くした場合）に比べて、前記洗浄効果をより高くすることができる。
【００３１】
又、例えば、図６及び図７に示すように変更してもよい。この例では、突起１４，６１を複数（この例では４つ）有する施術子１５，６２が、異なる動作をするように２つ以上（この例では２つ）設けられている。そして、少なくとも１つ（この例では１つ）の施術子１５における複数の突起１４が正の電極とされるとともに、他の少なくとも１つ（この例では１つ）の施術子６２における複数の突起６１が負の電極とされている。
【００３２】
詳しくは、この例の頭皮ケア装置１には、前記出力軸１２やモータ１３や施術子１５，６２等からなる組が一対並設されている。そして、一方の施術子１５における前記基底板１４ｂには前記導線３１が繋げられて４つの突起１４が全て正の電極とされるとともに、他方の施術子６２における前記基底板６１ａには前記導線３２が繋げられて複数の突起６１が全て負の電極とされている。
【００３３】
このようにすると、突起１４，６１を複数有する施術子１５，６２が、異なる動作をするように２つ以上設けられるため、物理的な刺激を、異なる動作によって（例えば頭皮の広範囲に渡って）付与することができる。又、施術子１５，６２毎に正の電極か負の電極かが別れるため、１つの施術子に正の電極と負の電極を設ける場合（図３参照）に比べて、施術子１５，６２自体の構造が単純となる。
【００３４】
又、例えば、図８に示すように、突起１４，６１を複数有する施術子１５，６２が、異なる動作をするように３つ設けられたものでは、２つの施術子１５における複数の突起１４を正の電極とし、１つの施術子６２における複数の突起６１を負の電極としてもよい。このように、正の電極とされた突起１４を負の電極とされた突起６１より多くすると、逆の場合（負の電極とされた突起６１を多くした場合）に比べて、前記洗浄効果をより高くすることができる。
【００３５】
・上記実施の形態の把持電極部３３を廃止して、図９に示すように、変更してもよい。即ち、この例（図９参照）の頭皮ケア装置１には、前記突起１４が頭皮に接触された状態で突起１４の周囲において頭皮に接触されるように伸縮可能な筒状ガイド部７１が設けられ、この筒状ガイド部７１が負の電極とされている。詳しくは、この例（図９参照）のカバー４１には、前記突起１４を囲うように突起１４の突出方向に沿って延びる筒状ガイド部７１が設けられている。この筒状ガイド部７１は、導電性ゴムよりなり、突起１４の突出方向に沿って伸縮可能な蛇腹形状に形成されている。そして、この筒状ガイド部７１には、前記導線３２が電気的に接続されている。
【００３６】
このようにしても、洗浄効果や剤浸透効果を高くすることができる。即ち、正の電極と負の電極の内のどちらかしか人体に接触されないものでは、人体が正か負のどちらかのみに帯電して電流が流れ難くなるが、これを回避して、洗浄効果や剤浸透効果を高くすることができる。又、把持部１１ａの持ち方に関わらず、正の電極とされた突起１４を頭皮に接触させるだけで、負の電極とされた筒状ガイド部７１も頭皮に接触するため、人体中を電流が流れ易くなり、洗浄効果や剤浸透効果を高くすることができる。
【００３７】
・上記実施の形態を、図１０及び図１１に示すように変更してもよい。この例では、突起１４を（この例では４つ）有する施術子１５が、定期的に近づく動作と離れる動作を繰り返すように２つ以上（この例では２つ）設けられている。そして、制御部１９は、施術子１５同士の距離が最も狭くなったタイミングから最も広くなるタイミングまでの間で電気刺激を付与するように前記電気刺激発生手段１６を制御する。
【００３８】
詳しくは、この例の頭皮ケア装置１には、前記出力軸１２や施術子１５等からなる組が一対並設され、上記実施の形態に追加された出力軸１２（図１０中、右側の出力軸１２）が、反転ギヤ８１を介して前記回転軸ギヤ１３ｂに駆動連結されている。これら２つの施術子１５は、図１１に示すように、第１の軸Ｘ１方向から見て、それらの間を通る直線Ｌ１を中心として線対称の動作をするように設定されている。これにより、２つの施術子１５（突起１４）は、スイッチ１７がオン操作されると（図１２中、タイミングＴ１）、定期的に近づく動作と離れる動作を繰り返し（図１２の「施術子間距離」参照）、頭皮を挟み揉みするように動作することになる。そして、制御部１９は、図１２に示すように、施術子１５同士の距離が最も狭くなったタイミングＴ２から最も広くなるタイミングＴ３までの間で電気刺激を付与するように電気刺激発生手段１６を（オン・オフ）制御する。尚、制御部１９は、図示しないセンサ（例えば、回転軸１３ａの回転角度を検出可能なロータリーエンコーダ）によって検出される情報（ひいては、図１２に示す施術子間距離）に基づいて、電気刺激発生手段１６を制御する。
【００３９】
このようにすると、無駄な電力を抑えて効果的に毛穴に詰まった汚れ（皮脂や老廃物）を取ることができる。即ち、施術子１５同士の距離が狭くなっていく際に、電気刺激を付与しても毛穴が縮められる方向の力を受けているため効率が悪いが、施術子１５同士の距離が広がっていく際に電気刺激を付与するため、効率良く毛穴に詰まった汚れを取ることができる。
【００４０】
・上記実施の形態では、突起１４（施術子１５）が回転駆動される頭皮ケア装置１としたが、突起を駆動源の駆動力にて駆動させ、その突起を頭皮に接触させて頭皮をケアするものであれば、他の頭皮ケア装置に電気刺激発生手段１６を設けて実施してもよい。例えば、単に突起を振動させるだけの構成の頭皮ケア装置に突起から電気刺激を頭皮に付与するための電気刺激発生手段１６を設けて実施してもよい。
【符号の説明】
【００４１】
１１…本体ハウジング、１１ａ…把持部、１３…モータ（駆動源）、１４，５１ａ，５１ｂ，６１…突起、１５，６２…施術子、１６…電気刺激発生手段、１９…制御部、３３…把持電極部、７１…筒状ガイド部、Ｔ２…施術子同士の距離が最も狭くなったタイミング、Ｔ３…施術子同士の距離が最も広くなったタイミング。
【図１】
2012045089.tif 000003
【図２】
2012045089.tif 000004
【図３】
2012045089.tif 000005
【図４】
2012045089.tif 000006
【図５】
2012045089.tif 000007
【図６】
2012045089.tif 000008
【図７】
2012045089.tif 000009
【図８】
2012045089.tif 000010
【図９】
2012045089.tif 000011
【図１０】
2012045089.tif 000012
【図１１】
2012045089.tif 000013
【図１２】
2012045089.tif 000014